(57)【要約】【課題】健全な乳房の平面的、立体的な形状を簡単に測定することができ、且つ前記形状を切除された乳房跡へ簡単に転写等できる乳房測定器具を提供する。【解決手段】本発明によれば、例えばヒトの乳房の立体的な形状を測定するための乳房形状測定器具であって、ヒトの胸部の略中心に配置ないし固定される測位基準部と、前記測位基準部から延びており、乳房の立体的な形状に沿って変形可能であり且つ変形後の形状を保持することができる棒状の形状測定部と、前記形状測定部に支持されており、前記形状測定部とヒトの胸部表面との距離を測定するための測定ゲージとからなる乳房形状測定器具などが提供される。【選択図】  図１
2017205348.tif 000002
【特許請求の範囲】
【請求項１】
ヒトの乳房の立体的な形状を測定するための乳房測定器具であって、
ヒトの胸部の略中心に配置ないし固定される測位基準部と
前記測位基準部から延びており、乳房の立体的な形状に沿って変形可能であり且つ変形後の形状を保持することができる棒状の形状測定部と、そして
前記形状測定部に支持されており、前記形状測定部とヒトの胸部表面との距離を測定するための測定ゲージと
からなることを特徴とする乳房形状測定器具。
【請求項２】
前記測定ゲージは、前記形状測定部上をスライド可能に取り付けられていることを特徴とする請求項１に記載の乳房形状測定器具。
【請求項３】
前記測位基準部は、ヒトの首、肩、胸部に着用される紐状部材または帯状部材、或いはヒトの胸部に装着される粘着性部材または吸着性部材、若しくはそれらを２以上組み合わせたものによって支持されることを特徴とする請求項１又は２のいずれか１項に記載の乳房形状測定器具。
【請求項４】
前記測位基準部は、ヒトの首に掛けられた前記紐状部材によって支持されており、前記紐状部材は、前記測位基準部の自重および／または前記輪郭測定部の自重により下方へ弛みなく引っ張られることを特徴とする請求項３に記載の乳房形状測定器具。
【請求項５】
前記形状測定部は、可撓性を有する樹脂材料、金属材料または多関節部材、若しくはそれらを２以上組み合わせたものからなることを特徴とする請求項１ないし４のいずれか１項に記載の乳房形状測定器具。
【請求項６】
乳房の形状を保持した前記形状測定部は、前記測位基準部を基準として、乳房の形状を測定していない胸部上の略鏡面対称の位置へ移動できるように前記測定基準部に支持されていることを特徴とする請求項１ないし５のいずれか１項に記載の乳房形状測定器具。
【請求項７】
前記測位基準部は、前記測位基準部の縦軸に対して平行する円周方向に回動する回転コアを有しており、前記形状測定部の根元端は、前記回転コアに取り付けられていることを特徴とする請求項６に記載の乳房形状測定器具。
【請求項８】
前記測位基準部は、前記測位基準部の縦軸に対して略鏡面対称の位置に配置される少なくとも１対の連結部材を有しており、前記形状測定部の根元端は、前記連結部材へ着脱自在に取り付けられることを特徴とする請求項６に記載の乳房形状測定器具。
【請求項９】
前記回転コアまたは前記１対の連結部材は、前記測位基準部の縦軸に沿って上下方向にスライド可能に前記測位基準部へ取り付けられていることを特徴とする請求項７又は８のいずれか１項に記載の乳房形状測定器具。
【請求項１０】
ヒトの乳房の輪郭及び／又は形状を測定するための乳房測定器具のセットであって、
定規本体と、
前記定規本体に形成された直線状のスリットと、そして
前記スリット上及び／又は前記スリットの延長線上に設けられており、且つマーキング時、ヒトの鎖骨間中点及びみぞおちに配置される透明領域とを備えている、ヒトの胸部へ正中線をマーキングするためのマーキング用定規と、そして
測位基準部の縦軸が、前記正中線と平行に整列するようにヒトの胸部に配置ないし固定される前記測位基準部と、
前記測位基準部から延びており、乳房の立体的な形状に沿って変形可能であり且つ変形後の形状を保持することができる棒状の形状測定部とからなる乳房形状測定器具と
を含んでいることを特徴とする乳房測定器具のセット。
【発明の詳細な説明】
【技術分野】
【０００１】
本発明は、ヒトの乳房の立体的な形状を測定するための乳房形状測定器具に関し、特に形状測定部により測定した乳房の形状を、ヒトの胸部の略中心に配置ないし固定した測位基準部を基準として、測定していない胸部上の略鏡面対称の位置へ正確に再現することができる乳房形状測定器具に関する。
【０００２】
また、本発明は、前記乳房形状測定器具に加えて、乳房形状測定器具を配置するための基準となる正中線をヒトの胸部上へマーキングするためのマーキング用定規を含んでいる乳房測定器具のセットに関する。
【背景技術】
【０００３】
従来より、乳癌などにおいて乳房を切除した場合、或いは先天的な病などにより片方の乳房が発育不全の場合などは、残る乳房との外観的なバランスを補うために乳房の再建が行われている。乳房の再建方法としては、大別して（ａ）外科的手術により、再建者自身の筋肉や脂肪などの自家組織を切除して移植する方法と、（ｂ）外科的手術により、シリコン製の人工乳房（以下、「インプラント」ともいう。）を埋め込む方法とが知られており、自家組織とインプラントを併用した再建も実施されている。
【０００４】
上記の乳房の再建方法の中で、自家組織を用いた乳房の再建はより自然で柔らかい乳房を再建することができるが、自家組織の摘出により手術跡が残り、手術も大掛かりとなることから、再建者の身体的負担が極めて大きいという問題がある。
【０００５】
一方、インプラントを用いた乳房の再建は、インプラントが人工物であるため、胸部挿入おいて生体反応により被膜拘縮などの問題を引き起こす場合があるが、手術時間が短く、再建者の身体的負担が少ないことから、乳房の再建を望む者にとって選択し易い再建方法となっている。
【０００６】
さらに、インプラントを用いた乳房の再建術は２０１３年までは保険の適用対象外であったが、２０１５年１月からはインプラントを用いた乳房の再建術に保険の適用が認められるようになったため、今後インプラントを用いた乳房の再建方法を選択する再建者が益々増加して行くことが予想されている。
【０００７】
ところで、乳房の再建においては再建者の精神的負担を緩和するため、再建した乳房を、切除されずに残存している乳房との間でバランス（均等化）させることが極めて重要になる。そのためには、先ず切除前の乳房又は切除されずに残存する健全な乳房を模した形状と大きさを有するインプラントを適切に選択又は調整することが大切になる。
【０００８】
ところが、インプラントは、主にラウンド型（おわん型）やアナトミナル型（しずく型）などの形状と大きさの組み合わせで分類されており、その数は百数種類に及んでいる。それにも拘らず、インプラントの選択において統一的な手段はなく、インプラント選定の現状は、ノギス、定規等で健側乳房を測り、目測を元にインプラントの選定が行われている。このように、切除前の乳房又は切除されずに残存する健全な乳房を模した形状や大きさを有するインプラントの選択又は調整は術者の勘や経験により行われているため、切除されずに残存している乳房とのバランス（均等化）がとれたインプラントを適切に選択又は調整することが困難であるという問題があった。
【０００９】
また、インプラントを用いた乳房の再建を行う場合は、インプラントの挿入前に、テッシュエキスパンダーと呼ばれる組織拡張器を埋め込んで、再建される胸部を膨らましておくことが必要となる。しなしながら、インプラントの選定と同様の理由により、ある大きさのインプラントを挿入するための必要な大きさを有するテッシュエキスパンダーを適切に選択することが困難であるという問題もあった。
【００１０】
また、切除前の乳房又は切除されずに残存する乳房の形状や大きさを正確に計測ないし保存する方法としては、例えば特開２０１３−３３０号公報（以下、「特許文献１」という。）に記載されているように、シリコンゴムを切除前の乳房の表面に肉盛りし、硬化させた後に乳房から取り外すことにより、該乳房の形状や大きさを保存ないし転写する方法や、特開２０１５−５４０８９号公報（以下、「特許文献２」という。）に記載されているように、３Ｄスキャナーや３ＤＣＡＤ／ＣＡＭシステム等を用いて、患者の切除前の乳房の形状を３次元形状データとして取得する方法などが知られている。
【００１１】
しかしながら、特許文献１に記載された乳房の形状等の計測ないし保存方法では、乳房がシリコンゴムの重みで下に押さえられるため、下垂した状態に変形した乳房がシリコンゴム製の乳房雌型へ保存ないし転写されるという問題があるので、インプラントを前記乳房雌型と適合させても、切除されずに残存している乳房とのバランス（均等化）がとれたインプラントを選択又は調整することが困難であるという問題があった。また、乳房の形状をシリコンゴムに正確に転写するためには、高価な（良質）シリコンゴムを使って長い時間を掛けて作業しなければならないことから術者及び再建者にとっては大きな負担となり、さらにその出来上がりも医療現場の術者の技量によりバラツキが生じるという問題もあった。
【００１２】
一方、特許文献２に記載された乳房の形状等の計測ないし保存方法では、装置が極めて大掛かりで高価となり、医療現場等では術者が簡単に取り扱えないという問題があった。また、特許文献２に記載の装置及び方法で計測されたデータは、乳房の形状等が個人情報に該当するにも関わらず、コピー等による流出が容易であり、個人情報が漏洩してしまうおそれがあるという問題もあった。
【００１３】
さらに、再建した乳房を、切除されずに残存している乳房との間でバランス（均等化）させるためには、選択又は調整されたインプラントや自家組織を切除前の乳房位置へ、または切除されず残存する乳房と対称となる位置へ正確に埋め込むことも大切になる。インプラント等を所望の位置へ正確に埋め込むためには、乳房を再建する側の胸部へ、切除前の乳房の下部輪郭等または切除されずに残存する乳房の下部輪郭等を出来るだけ正確に再現し、マーキングを施し、そして前記マークに基づいて胸部を切開しインプラント等を埋め込む必要がある。
【００１４】
ところが、乳房を再建する側の胸部へ、切除されずに残存する乳房の下部輪郭等をマーキング等して切開する手術も術者の勘や経験により行われていることが多いため、切除されずに残存している乳房とのバランス（均等化）がとれた位置へインプラントや自家組織を埋め込むことが困難であるという問題があった。
【先行技術文献】
【特許文献】
【００１５】
【特許文献１】特開２０１３−３３０号公報
【特許文献２】特開２０１５−５４０８９号公報
【発明の概要】
【発明が解決しようとする課題】
【００１６】
そこで、本発明は、再建される乳房を切除されずに残存している乳房とバランス（均等化）させることを主題として、切除前の乳房又は切除されずに残存する乳房を模した形状と大きさを有するインプラントや該インプラントを挿入するためのテッシュエキスパンダーを適切に選択又は調整することができるように、大掛かりな測定設備等を必要とせず、医療現場等でヒトの乳房の立体的な形状を簡単に測定することができる乳房形状測定器具を提供することを一の目的とする。なお、本発明の乳房形状測定器具は、選択又は調整されたインプラントや自家組織を切除前の乳房位置へ、または切除されずに残存する乳房と対称となる位置へ正確に埋め込むことができるように、乳房輪郭測定器具を含んでいてもよい。
【００１７】
また、本発明は、前記乳房形状測定器具に加えて、乳房形状測定器具を配置するための基準となる正中線をヒトの胸部上へ簡単にマーキングすることができるマーキング用定規を含んでいる乳房測定器具のセットを提供することを他の目的とする。
【課題を解決するための手段】
【００１８】
本発明者等は、ヒトの乳房の立体的な形状や輪郭を測定するために、大掛かりな測定設備等を必要とせず、医療現場等で簡単に取り扱うことができる測定器具について鋭意検討を重ねた結果、ヒトの胸部の略中心に測位基準手段を配置ないし固定し、そして前記測位基準手段の位置を基準として移動させることができ且つヒトの乳房の立体的な形状や輪郭を記憶できる測定手段を設けると、医療現場等でヒトの乳房の立体的な形状や輪郭を簡単に測定ないし転写等できることを見出し、本発明を完成させるに至った。
【００１９】
すなわち、本発明の一の形態によれば、ヒトの乳房の立体的な形状を測定するための乳房形状測定器具であって、ヒトの胸部の略中心に配置ないし固定される測位基準部と、前記測位基準部から延びており、乳房の立体的な形状に沿って変形可能であり且つ変形後の形状を保持することができる棒状の形状測定部と、前記形状測定部に支持されており、前記形状測定部とヒトの胸部表面との距離を測定するための測定ゲージとからなる乳房形状測定器具が提供される。
【００２０】
なお、本発明において、ヒトの胸部の中心とはせず、略中心としているのは、ヒトの身体は完全な左右対称形ではないので厳密な意味での中心を特定することが困難だからである。そのため、本発明においてヒトの胸部の略中心とは、ヒトの胸部の完全な中心位置や正中線を意味するものではなく、目視等によりヒトの胸部の中心と判断できる程度であれば足りる。
【００２１】
本発明の乳房形状測定器具は、ヒトの胸部に配置等した測位基準部から延びた形状測定部を利用して乳房の立体的な形状を測定できるので、単に乳房の形状を測定及び記憶させるだけでなく、測定した乳房の形状を、測位基準部との相対的な位置関係に基づいてヒトの胸部上の位置と関連付けて記録させることができる。このため、乳房形状測定器具は測位基準部を基準として、測定した乳房の立体的な形状をヒトの胸部上の所望の位置へ転写ないし移すことができる。
【００２２】
本発明では、測位基準部はヒトの首、肩、胸部に着用される紐状部材または帯状部材、或いはヒトの胸部に装着される粘着性部材または吸着性部材、若しくはそれらを２以上組み合わせたものによって支持されることが好ましい。
【００２３】
測位基準部は、測定した乳房の形状をヒトの胸部上の所望の位置へ転写ないし移す際の基準となることから、ヒトの胸部の略中心に容易且つ安定して配置ないし固定できることが好ましい。このため、ヒトの首、肩、胸部に着用される紐状部材や帯状部材などを利用すれば、測位基準部を吊り下げたり身体に巻き付けたりすることにより、簡単にヒトの胸部に配置等することができるようになる。また、粘着性部材や吸着性部材を使用すれば、測位基準部を略１回の操作でヒトの胸部に固定等することができるようになる。さらに、測位基準部のより簡単且つ安定した配置ないし固定を望む場合は、測位基準部を、紐状部材、帯状部材、粘着性部材および吸着性部材を２以上組み合わせたものによって支持することも有効である。
【００２４】
また、測位基準部をヒトの首に掛ける紐状部材によって支持する場合、紐状部材は、測位基準部の自重および／または形状測定部の自重によって下方へ弛みなく引っ張られることが好ましい。
【００２５】
測位基準部の自重および／または形状測定部の自重を利用して、測位基準部を支持している紐状部材を下方へ弛みなく引っ張られるようにすることで、紐状部材がヒトの胸部の略中心に配置され、そして測位基準部も簡単に胸部の略中心へ誘導される。
【００２６】
また、本発明では、乳房形状測定器具の測位基準部（「第１の測位基準部」ともいう。）は、乳房形状測定器具の測位基準部の縦軸が、後述する乳房輪郭測定器具の測位基準部の縦軸と平行に整列するように乳房輪郭測定器具の測位基準部（「第２の測位基準部」ともいう。）へ着脱自在に装着できるようにすることで、乳房輪郭測定器具の測位基準部を介してヒトの胸部の略中心に配置ないし固定できるようにしてもよい。
【００２７】
本発明の乳房形状測定器具では、形状測定部は、乳房の立体的な形状に沿って容易に変形させることができ、そして変形させた形状測定部は容易に移動できることが望まれることから、形状測定部は棒形状を有していることが好ましい。また、形状測定部は、乳房の立体的な形状に沿って変形可能であり且つ変形後の形状を保持することができるものであれば、特に制限されることなく公知の材料や部材等を使用することができ、例えば可撓性を有する樹脂材料、金属材料または多関節部材、若しくはそれらを２以上組み合わせたものなどを使用することができる。
【００２８】
本発明の乳房形状測定器具では、乳房の立体的な形状を保持した形状測定部は、測位基準部を基準として、乳房の形状を測定していない胸部上の略鏡面対称の位置へ移動できるように測位基準部に支持されていることが好ましい。
【００２９】
なお、本発明において略鏡面対称の位置としているのは、ヒトの胸部は完全な左右対称形ではないので、厳密な意味での鏡面対称の位置を特定することが困難だからである。そのため、本発明において胸部上の略鏡面対称の位置とは、測位基準部に対して胸部上の完全な鏡面対称の位置を意味するものではなく、目視等により、測位基準部に対して鏡面対称又は左右対称に配置されていると判断できる程度であれば足りる。
【００３０】
乳房の立体的な形状に沿って変形させた形状測定部は、ヒトの胸部の略中心に配置ないし固定された測位基準部を基準として、乳房の形状を測定していない側の胸部上の略鏡面対称の位置へ、すなわち乳房が再建される（切除されている）側の胸部上の略鏡面対称の位置へ移動させることができる。
【００３１】
このため、本発明では、形状測定部を、乳房が再建される（切除されている）側の胸部上へ移動させた後、形状測定部に支持されている測定ゲージを用いて形状測定部と（乳房が切除されている）胸部表面との距離を測定すれば、乳房が切除されている側の胸部上へ、切除されずに残存している乳房の形状や大きさを正確且つ簡単に再現することができ、再建すべき乳房の形状や大きさも正確且つ簡単に測定ないし把握することができる。そして、測定して得られた乳房の形状や大きさに基づいて、インプラントメーカーが提供するインプラント形状データやインプラント形状を転写したプレート等と照合してインプラントを選択又は調整すれば、残存している乳房とバランスがとれた乳房を簡単に再建することができるようになる。
【００３２】
このように、本発明の乳房形状測定器具を用いれば、大掛かりな測定設備等を必要とすることなく、軽量且つコンパクトな測定器具によって、乳房が切除されている側の胸部上へ、健全な乳房の形状や大きさを正確に移すことができ、再建すべき乳房の形状や大きさも正確に把握することができので、左右の乳房のバランスをとるのに適したインプラントや該インプラントを挿入するためのテッシュエキスパンダーを容易に選択又は調整できるようになる。
【００３３】
本発明において、左方又は右方胸部上に配置した形状測定部を、測位基準部を基準として、その反対側の右方又は左方胸部上の略鏡面対称の位置へ移動可能に支持するためには、例えば測位基準部へ、測位基準部の縦軸に沿った位置において形状測定部の向きを選んで固定できる１つの連結部材を設けるか、若しくは測位基準部の縦軸に対して鏡面対称の位置に配置される少なくとも１対の連結部材を設け、形状測定部の根元端を連結部材へ着脱自在に取り付けることによって上記の鏡面対称位置への移動機能を実現させることができる。したがって、測位基準部が左右対称の形状を有している場合は、測位基準部の縦軸に対して鏡面対称の位置に配置される１対の連結部材は、測位基準部の縦軸に対して線対称の位置にも配置されていることになる。
【００３４】
この形態では、連結部材が、測位基準部の縦軸に沿った位置に配置されているか、若しくは測位基準部の縦軸に対して鏡面対称の位置に配置されている。このため、形状測定部は、乳房の形状を測定する向きへ、若しくは乳房の形状を測定する側に配置された連結部材へ取り付けて測定した後、該連結部材から取り外して、乳房の形状を測定する向きとは反対向きへ、若しくは該連結部材とは反対側に配置された鏡面対称の位置にある連結部材へ付け替えることにより、例えば左胸乳房の形状を、測位基準部を基準として形状測定部を介して右胸の略鏡面対称の位置へ移動させることができる。
【００３５】
また、形状測定部を、測位基準部を基準として、その反対側の胸部上の略鏡面対称の位置へ移動可能に支持するための他の態様としては、例えば測位基準部へ、測位基準部の縦軸に対して平行する円周方向に回転する回転コアを設け、形状測定部の根元端を回転コアに取り付けることによって上記の鏡面対称位置への移動機能を実現させることができる。例えば測位基準部へ、測位基準部の縦軸に対して直交する平面内であって且つ円周方向に回動することができる回動コアと、該回動コアに取り付けた形状測定部を、その根元端において軸の周りに１８０度回転させることができる回転機構を設けることによっても、上記の鏡面対称位置への移動機能を実現させることができる。なお、本発明において、測位基準部の縦軸とは、測位基準部をヒトの胸部へ取り付けた時、測位基準部の重心や中心を通る鉛直方向の軸のことを意味する。
【００３６】
この形態では、測位基準部の回転コアは、測位基準部の縦軸に対して平行する円周方向に回転することができる。このため、測位基準部をヒトの胸部へ配置すると、回転コアに取り付けられた形状測定部は、回転コアを中心としてヒトの胸部上に沿って回転させることができるので、例えば左胸乳房の形状を記憶した形状測定部は、測位基準部を基準として、右胸の略鏡面対称の位置へ回転させて移動することができる。
【００３７】
また、測位基準部の回転コアが、測位基準部の縦軸に対して平行する円周方向に回転させることができると共に、直交する平面内であって且つ円周方向に回動させることができる場合は、形状測定部に支持されている測定ゲージを取り外せば、乳房形状測定器具は、後述する乳房輪郭測定器具のようにヒトの乳房の輪郭を測定するための測定器具としても機能させて使用することができる。
【００３８】
本発明の乳房形状測定器具では、上述した連結部材、回転コアは、測位基準部の縦軸に沿って上下方向にスライドできるように測位基準部へ取り付けてもよい。
【００３９】
連結部材又は回転コアが測位基準部の縦軸に沿って上下方向にスライドできると、連結部材又は回転コアへ取り付けた形状測定部はその根元端から乳房の形状に沿わせることができるようになるので、測定有効長さが拡大し、より正確な乳房の形状の測定を行うことができるようになる。
【００４０】
本発明の他の形態によれば、ヒトの胸部へ正中線をマーキングするためのマーキング用定規と、ヒトの乳房の立体的な形状を測定するために、前記正中線に基づいて配置ないし固定される乳房形状測定器具とから構成される乳房測定器具のセットが提供される。
【００４１】
この場合、本発明の乳房測定器具のセットは、定規本体と、前記定規本体に形成された直線状のスリットと、そして前記スリット上及び／又は前記スリットの延長線上に設けられており、且つマーキング時、ヒトの鎖骨間中点及びみぞおちに配置される透明領域とを備えている、ヒトの胸部へ正中線をマーキングするためのマーキング用定規と、そして測位基準部の縦軸が、前記正中線と平行に整列するようにヒトの胸部に配置ないし固定される前記測位基準部と、前記測位基準部から延びており、乳房の立体的な形状に沿って変形可能であり且つ変形後の形状を保持することができる棒状の形状測定部と、前記形状測定部に支持されており、前記形状測定部とヒトの胸部表面との距離を測定するための測定ゲージとからなる乳房形状測定器具とを含んでいる。
【００４２】
なお、マーキング用定規の透明領域は、定規本体を透明な材料から製作することによって形成してもよく、或いは定規本体は不透明な材料から製作し、定規本体に形成されたスリットを上記透明領域として利用してもよい。
【００４３】
上記本発明の乳房測定器具のセットのうち、乳房形状測定器具は上述した乳房形状測定器具と同じ構成を有しているので、ここでの重複した説明は省略する。
【００４４】
本発明の乳房測定器具のセットのうち、マーキング用定規は、定規本体に形成された直線状のスリットと、そしてスリット上及び／又はスリットの延長線上に設けられた透明領域とを有しているので、マーキング時、透明領域のそれぞれをヒトの鎖骨間中点及びみぞおちに配置すれば、定規本体のスリットは鎖骨間中点及びみぞおちを結ぶようにヒトの胸部の略中心に配置される。このため、マーカー等により、ヒトの胸部に配置されたスリットに沿ってマーキングを施せば、ヒトの胸部上へ正中線を容易にマーキングすることができるようになる。
【００４５】
なお、定規本体に設けられた透明領域は、ヒトの鎖骨間中点及びみぞおちを定規表面を通して目視することができるようにスリット上及び／又はスリットの延長線上に形成されていれば、必ずしも分離して形成されている必要はなく、定規本体の全体が透明であってもよい。また、スリットの周縁部には目盛りが表示されていると、鎖骨間中点とみぞおちとの距離を測定したり、正中線の長さを決めたりするのに便利である。
【００４６】
以上のように、本発明の他の形態の乳房測定器具のセットによれば、マーキング用定規を用いてヒトの胸部の略中心に簡単且つ正確に正中線をマーキングすることができる。このため、乳房形状測定器具の測位基準部の縦軸を前記正中線と平行に整列するように配置ないし固定すれば、乳房形状測定器具をヒトの胸部の略中心に簡単且つ正確に配置ないし固定することができる。
【００４７】
本発明の乳房形状測定器具は、乳房輪郭測定器具を介してヒトの胸部の略中心に配置ないし固定できるようにする場合、乳房形状測定器具の第１の測位基準部を乳房輪郭測定器具の第２の測位基準部へ装着する台座として機能させるために、そしてヒトの乳房の輪郭を測定するために上述した乳房輪郭測定器具を含んでいてもよい。
【００４８】
乳房形状測定器具が着脱自在に装着される乳房輪郭測定器具は、ヒトの胸部の略中心に配置ないし固定される第２の測位基準部を備えており、そして前記第２の測位基準部から延びており、乳房の輪郭に沿って変形可能であり且つ変形後の形状を保持することができる棒状の輪郭測定部を含んでいてもよい。
【００４９】
本発明の乳房輪郭測定器具が輪郭測定部を含んでいる場合は、乳房形状測定器具と同様に、ヒトの胸部に配置等した第２の測位基準部から延びた輪郭測定部を利用して乳房の輪郭を測定できるので、単に乳房の輪郭を測定及び記憶させるだけでなく、測定した乳房の輪郭を、第２の測位基準部との相対的な位置関係に基づいてヒトの胸部上の位置と関連付けて記録させることができる。このため、本発明の乳房輪郭測定器具は第２の測位基準部を基準として、測定した乳房の輪郭をヒトの胸部上の所望の位置へ転写ないし移すことができる。
【００５０】
なお、乳房輪郭測定器具の第２の測位基準部は、乳房形状測定器具の第１の測位基準部と同じ構成を採用することができ、この場合、第１の測位基準部と同じ理由により、第２の測位基準部はヒトの首、肩、胸部に着用される紐状部材または帯状部材、或いはヒトの胸部に装着される粘着性部材または吸着性部材、若しくはそれらを２以上組み合わせたものによって支持させることができ、さらに、第２の測位基準部をヒトの首に掛ける紐状部材によって支持する場合、紐状部材は、第２の測位基準部の自重および／または輪郭測定部の自重によって下方へ弛みなく引っ張られることが好ましい。
【００５１】
第２の測位基準部の自重および／または輪郭測定部の自重を利用して、第２の測位基準部を支持している紐状部材を下方へ弛みなく引っ張られるようにすれば、紐状部材がヒトの胸部の略中心に配置され、そして第２の測位基準部も簡単に胸部の略中心へ誘導される。そして、例えば第２の測位基準部に設けた溝部へ、乳房形状測定器具の第１の測位基準部に設けた掛かり部をスライド可能に嵌合等できるようにすれば、乳房形状測定器具は、上述したように乳房輪郭測定器具を介してヒトの胸部の略中心に簡単に配置ないし固定できるようになる。
【００５２】
乳房輪郭測定器具では、輪郭測定部は、乳房の輪郭に沿って容易に変形させることができ、そして変形させた輪郭測定部は容易に移動できることが望まれることから、輪郭測定部は棒形状を有していることが好ましい。また、輪郭測定部は、乳房の輪郭に沿って変形可能であり且つ変形後の形状を保持することができるものであれば、特に制限されることなく公知の材料や部材等を使用することができ、例えば可撓性を有する樹脂材料、金属材料または多関節部材、若しくはそれらを２以上組み合わせたものなどを使用することができる。
【００５３】
乳房輪郭測定器具では、乳房の輪郭を保持した輪郭測定部は、第２の測位基準部を基準として、乳房の輪郭を測定していない胸部上の略鏡面対称の位置へ移動できるように第２の測位基準部に支持されていることが好ましい。
【００５４】
乳房の輪郭に沿って変形させた輪郭測定部は、ヒトの胸部の略中心に配置ないし固定された第２の測位基準部を基準として、乳房の輪郭を測定していない側の胸部上の略鏡面対称の位置へ、すなわち乳房が再建される（切除されている）側の胸部上の略鏡面対称の位置へ移動させることができる。
【００５５】
このため、輪郭測定部が移動された胸部上に、マーカー等により前記輪郭測定部に沿ってマーキングを施せば、測定した一方の側の胸部上の乳房の輪郭を、胸部の略中心に配置ないし固定した第２の測位基準部に対して、測定していない他方の側の胸部上の鏡面対称又は左右対称となる位置へ略正確且つ簡単に転写ないし再現することができる。そして、前記マークに基づいて胸部を切開し、予め選択又は調整されたインプラントや自家組織を当該切開部へ埋め込めば、残存している乳房とバランスがとれた乳房を簡単に再建することができるようになる。
【００５６】
このように、本発明の乳房輪郭測定器具を用いれば、大掛かりな測定設備等を必要とすることなく、軽量且つコンパクトな測定器具によって、切除されずに残存している乳房の輪郭を、乳房が再建される（切除されている）側の胸部へ正確且つ簡単に再現することができ、左右の乳房のバランスを容易にとることができるようになる。
【００５７】
乳房輪郭測定器具において、左方又は右方胸部上に配置した輪郭測定部を、第２の測位基準部を基準として、その反対側の右方又は左方胸部上の略鏡面対称の位置へ移動可能に支持するためには、例えば第２の測位基準部へ、第２の測位基準部の縦軸に対して直交する平面内であって且つ円周方向に回動する回動コアを設け、輪郭測定部の根元端を回動コアに取り付けることによって上記の鏡面対称位置への移動機能を実現させることができる。なお、本発明において、第２の測位基準部の縦軸とは、第２の測位基準部をヒトの胸部へ取り付けた時、第２の測位基準部の重心や中心を通る鉛直方向の軸のことを意味する。
【００５８】
この形態では、第２の測位基準部の回動コアは、第２の測位基準部の縦軸に対して直交する平面内であって且つ円周方向に回動することができる。このため、第２の測位基準部をヒトの胸部へ配置すると、回動コアに取り付けられた輪郭測定部は、回動コアを中心としてヒトの胸部上を左右にスイングするように回動させることができるので、例えば左胸乳房の輪郭を記憶した輪郭測定部は、第２の測位基準部を基準として、右胸の略鏡面対称の位置へ回動させて移動することができる。
【００５９】
なお、第２の測位基準部の回動コアが、第２の測位基準部の縦軸に対して直交する平面内であって且つ円周方向に回転させることができると共に、平行する円周方向に回動させることができる場合は、乳房輪郭測定器具は、上述した乳房形状測定器具の測定ゲージを輪郭測定部に取り付ければ、乳房形状測定器具のようにヒトの乳房の立体的な形状を測定するための測定器具としても機能させて使用することができる。
【００６０】
また、輪郭測定部は、乳房形状測定器具の第１の測位基準部と同様に、第２の測位基準部の縦軸に沿った位置において輪郭測定部の向きを選んで固定できる１つの連結部材を設けるか、若しくは第２の測位基準部へ第２の測位基準部の縦軸に対して鏡面対称の位置に配置される少なくとも１対の連結部材を設け、輪郭測定部の根元端を連結部材へ着脱自在に取り付けることによっても鏡面対称位置への移動機能を実現させることができる。
【００６１】
したがって、この形態の場合、輪郭測定部は乳房の輪郭を測定する向きへ、若しくは乳房の輪郭を測定する側に配置された連結部材へ取り付けて測定した後、乳房の輪郭を測定する向きとは反対向きへ、若しくは該連結部材から取り外して該連結部材とは反対側に配置された鏡面対称の位置にある連結部材へ付け替えることにより、例えば左胸乳房の輪郭を、第２の測位基準部を基準として輪郭測定部を介して右胸の略鏡面対称の位置へ移動させることができる。
【００６２】
また、乳房輪郭測定器具においても乳房形状測定器具と同様に、回動コアや連結部材を第２の測位基準部の縦軸に沿って上下方向にスライド可能に第２の測位基準部へ取り付けることによって測定有効長さを拡大させると、より正確な乳房の輪郭の測定を行うことができるようになる。
【００６３】
以上のように、本発明の乳房形状測定器具が、ヒトの胸部へ取り付けるための台座及び／又は乳房の輪郭を測定するための第２の測定器具として乳房輪郭測定器具を含んでいる場合は、乳房形状測定器具を用いてヒトの乳房の立体的な形状も容易且つ正確に測定することができるようになると共に、乳房輪郭測定器具を用いてヒトの乳房の輪郭を容易且つ正確に測定できるようになる。
【発明の効果】
【００６４】
本発明の乳房形状測定器具によれば、大掛かりな測定設備等を必要とすることなく、乳房が切除されている側の胸部上へ、健全な乳房の形状や大きさを正確に移すことができ、再建すべき乳房の形状や大きさも正確に把握することができので、左右の乳房のバランスをとるのに適したインプラントを容易に選択又は調整することができるようになる。
【００６５】
本発明の乳房測定器具のセットによれば、セット中の上記乳房形状測定器具によって得られる効果に加えて、セット中の軽量且つコンパクトなマーキング用定規により、大掛かりな測定設備等を必要とすることなく、ヒトの胸部の略中心に簡単且つ正確に正中線をマーキングすることができるようになる。その結果、乳房形状測定器具の測位基準部の縦軸を前記正中線と平行に整列するように配置ないし固定すれば、乳房形状測定器具をヒトの胸部の略中心に簡単且つ正確に配置ないし固定することができるようになる。
【００６６】
本発明の乳房形状測定器具によれば、乳房形状測定器具がヒトの胸部へ取り付けるための台座及び／又は乳房の輪郭を測定するための第２の測定器具として乳房輪郭測定器具を含んでいる場合、上記乳房形状測定器具によって得られる効果に加えて、大掛かりな測定設備等を必要とすることなく、軽量且つコンパクトな測定器具によって、切除されずに残存している乳房の輪郭を乳房が再建される（切除されている）側の胸部へ正確且つ簡単に再現することができるようになる。その結果、再現された乳房の輪郭に基づいて胸部を切開し、予め選択又は調整されたインプラントや自家組織を当該切開部へ埋め込めば、残存している乳房とバランスがとれた乳房を簡単に再建することができる。
【図面の簡単な説明】
【００６７】
【図１】本発明の乳房形状測定器具の一の実施形態を示した全体概要図である。
【図２】図１に示された乳房形状測定器具の分解した態様を示した分解図である。
【図３】図１に示された乳房形状測定器具と連結する乳房輪郭測定器具を単独で使用する場合の一の実施形態を示した全体概要図である。
【図４】図３に示された乳房輪郭測定器具の第２の測位基準部を部分的に拡大及び分解した分解図である。
【図５】図１に示された乳房形状測定器具の第１の測位基準部と図３に示された乳房輪郭測定器具の第２の測位基準部との連結状態を示した拡大図である。
【図６】図１に示された乳房形状測定器具による乳房形状の測定方法を示した概要図である。
【図７】図６に示された乳房形状測定器具により転写された乳房高さ等の測定方法を示した概要図である。
【図８】図１に示された乳房形状測定器具による他の乳房形状の測定方法を示した概要図である。
【図９】本発明の乳房測定器具のセット中のマーキング用定規の一の実施形態及び使用方法を示した全体概要図である。
【図１０】図８に示された乳房輪郭測定器具による乳房輪郭の測定方法を示した概要図である。
【図１１】図１０に示された乳房輪郭測定器具による乳房輪郭の転写方法を示した概要図である。
【発明を実施するための形態】
【００６８】
以下、本発明の一実施形態に係る乳房形状測定器具及び該乳房形状測定器具等を備えた乳房測定器具のセットについて、図面を参照しながら詳細に説明する。なお、本発明は、以下に示される実施例に限定されるものではなく、本発明の技術的思想を逸脱しない範囲内で各種の変更が可能である。
【実施例】
【００６９】
図１には、本実施形態に係る乳房形状測定器具４の全体概要図が示されている。図２には、乳房形状測定器具４の分解した態様を示した分解図が示されている。
【００７０】
図１，２を参照して理解されるように、本実施形態の乳房形状測定器具４は、後述する乳房輪郭測定器具１の第２の測位基準部２に着脱自在に取り付けられる第１の測位基準部５（単に「測位基準部５」ともいう。）と、第１の測位基準部５の左方側壁又は右方側壁から延びた棒状の形状測定部６と、形状測定部６とヒトの胸部表面との距離を測定するために、形状測定部６に支持された測定ゲージ７とを含んでいる。
【００７１】
第１の測位基準部５は直方体の箱型形状を有しており、ヒトの胸部に配置される側の裏蓋５０には、乳房輪郭測定器具１の第２の測位基準部２の左方及び右方側壁に設けられた溝部２７（図３参照）とスライド可能に嵌合する断面Ｌ字型の掛かり部５１と、嵌合時、第２の測位基準部２の側壁と当接する端部壁とがコの字型を描くように形成されている（図２参照）。
【００７２】
また、本実施形態の乳房形状測定器具４は、乳房形状測定器具４をヒトの胸部へ取り付けるための台座及び／又は乳房の輪郭を測定するための第２の測定器具として乳房輪郭測定器具１を含んでいる。
【００７３】
図３には、本実施形態の乳房形状測定器具４と連結する乳房輪郭測定器具１を単独で使用する場合の一の実施形態を示した全体概要図が示されている。図４には、乳房輪郭測定器具１の第２の測位基準部２を部分的に拡大及び分解した分解図が示されている。また、図５には、乳房形状測定器具４の第１の測位基準部５（測位基準部５）を乳房輪郭測定器具１の第２の測位基準部２に連結した状態を示した拡大図が示されている。
【００７４】
図３に示されているように、本実施形態の中で台座及び／又は乳房の輪郭を測定するための第２の測定器具として機能する乳房輪郭測定器具１は、ヒトの首に掛けるための紐状部材２０を備えた第２の測位基準部２と、第２の測位基準部２の下方側壁から延びた棒状の輪郭測定部３を含んでいる。
【００７５】
乳房輪郭測定器具１の第２の測位基準部２はヒトの胸部に容易に取り付けられるように、首、肩、胸部に着用される紐状部材または帯状部材、或いは胸部に装着される粘着性部材または吸着性部材若しくはそれらを２以上組み合わせたものによって支持されていることが好ましく、本実施形態の乳房輪郭測定器具１では、第２の測位基準部２は紐状部材２０によって支持されている。
【００７６】
図４に示されているように、首掛け用の紐状部材２０は、第２の測位基準部２の左右の側壁及び上方側壁に設けられた４つの貫通孔２４を順番に、第２の測位基準部２の外部から左方側壁の貫通孔２４を通って第２の測位基準部２の内部へ、内部から上方側壁の一の貫通孔２４を通って外部へ、外部から上方側壁の他の貫通孔２４を通って再び内部へ、そして内部から右方側壁の貫通孔２４を通って外部へ延びるように配置されている。
【００７７】
また、第２の測位基準部２の左方側壁の外部に配置された紐状部材２０の一の端部には、貫通孔２１より大きな径を有するキャップ２５が取り付けられており、右方側壁の外部に配置紐状部材２０の中間部分には、貫通孔２４より大きな径を有し且つ紐状部材２０の任意の位置に固定することができるストッパー２６が取り付けられている。このため、紐状部材２０は、ストッパー２６の固定を解除して第２の測位基準部２の上方側壁から外部へ配置されている部分を引き出し、そしてストッパー２６を再度固定することにより、首掛け等に必要な長さを任意に調節することができる。
【００７８】
乳房輪郭測定器具１の第２の測位基準部２は、ヒトの首に掛ける紐状部材２０によって支持されるので、紐状部材２０を着用時、紐状部材２０は第２の測位基準部２や輪郭測定部３の重みによって下方へ弛みなく引っ張られる。このため、下方へ弛みなく引っ張られた紐状部材２０は、第２の測位基準部２を頂角とする逆二等辺三角形を描くようにヒトの胸部上に配置され、そして第２の測位基準部２を簡単且つ自然に胸部の略中心へ誘導する。
【００７９】
また、乳房輪郭測定器具１の第２の測位基準部２は直方体の箱型形状を有しており、ヒトの胸部に配置される側の裏蓋２２は、測位基準部本体２１の上方及び下方から突出するように縦長に形成されている。このため、第２の測位基準部２は、測位基準部本体２１から突出した裏蓋２２をサージカルテープ等を利用してヒトの胸部へ貼り付ければ、該ヒトの胸部へ簡単に取り付けることができる。また、第２の測位基準部２は、裏蓋２２の胸部との接触面に両面テープを貼り付けたり、或いは粘着剤を塗布すること等によってもヒトの胸部へ固定することができる。
【００８０】
このように、乳房輪郭測定器具１の第２の測位基準部２は、紐状部材２０による配置及び取り付けと、測位基準部本体２１の裏蓋２２を利用したサージカルテープ等による取り付けを併用しているので、第２の測位基準部２をヒトの胸部の略中心に簡単且つ安定的に配置ないし固定することができる。
【００８１】
このため、乳房形状測定器具４の第１の測位基準部５は、図５に示されているように、その裏蓋５０の掛かり部５１を乳房輪郭測定器具１の第２の測位基準部２の溝部２７へスライドさせて嵌合することにより、第１の測位基準部５の縦軸５Ｚが第２の測位基準部２の縦軸２Ｚと平行に整列するように、第２の測位基準部２へ着脱自在に取り付けることができる（図６，７参照）。その結果、乳房形状測定器具４の第１の測位基準部５は、乳房輪郭測定器具１の第２の測位基準部２を利用して簡単にヒトの胸部の略中心に配置ないし固定することができると共に、乳房輪郭測定器具１により乳房の輪郭測定を測定した後、第２の測位基準部２を胸部から取り外すことなく、乳房の立体的な形状を乳房形状測定器具４により続けて測定することができる。
【００８２】
また、図示しないが、乳房形状測定器具４の第１の測位基準部５は、乳房輪郭測定器具１の第２の測位基準部２のように、首、肩、胸部に着用される紐状部材または帯状部材などを利用してヒトの胸部へ直に配置しても、或いはサージカルテープなどの粘着材料や吸着材料を利用してヒトの胸部へ直に配置ないし固定してもよい。
【００８３】
図２に示されているように、乳房形状測定器具４の第１の測位基準部５の左方側壁及び右方側壁には側面スリット５２と、表面壁には表面スリット５３が設けられている。第１の測位基準部５の内部には、第１の測位基準部５の内幅（左方側壁と右方側壁との内法）および内高（表面壁と裏蓋５０との内法）と略同寸法であり、且つ内長（上方側壁と下方側壁との内法）よりも短い長さを有する直方体の摺動コア５４が配置されている。
【００８４】
摺動コア５４には、側面スリット５２と略同幅の軸径を有し且つ左方及び右方側壁の側面スリット５２のそれぞれを横方向に貫通する１対の横ピン５５と、表面スリット５３と略同幅の軸径を有し且つ表面スリット５３を縦方向に貫通する縦ピン（図示せず）が取り付けられている。このため、摺動コア５４は、第１の測位基準部５の内部から脱離することなく、側面スリット５２および表面スリット５３に沿って円滑にスライドさせることができる。
【００８５】
左方及び右方側壁の側面スリット５２を貫通した横ピン５５の先端には、横ピン５５の先端と嵌合する係合孔および形状測定部６の根元端と嵌合する係合孔とを有する円筒形のスリーブ形状の連結部材５６が取り付けられているので、連結部材５６は、第１の測位基準部５の縦軸５Ｚに対して鏡面対称の位置に配置される。また、形状測定部６は前記連結５６を介して第１の測位基準部５へ着脱自在に取り付けられる。
【００８６】
このため、本実施形態の乳房形状測定器具４では、形状測定部６を、乳房の形状を測定する側に配置された連結部５６へ取り付けて測定した後、該連結部５６から取り外して、該連結部とは反対側に配置された鏡面対称の位置にある連結部５６へ付け替えることにより、例えば左胸乳房の立体的な形状を、第１の測位基準部５を基準として形状測定部６を介して右胸の略鏡面対称の位置へ移動させることができる。
【００８７】
形状測定部６を、第１の測位基準部５を基準としてその反対側の胸部上の略鏡面対称の位置へ移動可能に支持するための他の態様としては、例えば第１の測位基準部５へ、第１の測位基準部５の縦軸に５Ｚ対して平行する円周方向に回転する回転コア（図示せず）を設け、形状測定部６の根元端を前記回転コアに取り付けることにより、例えば左胸乳房の立体的な形状を、第１の測位基準部５を基準として形状測定部６を介して右胸の略鏡面対称の位置へ移動させることができる。図示しないが、例えば第１の測位基準部５へ、第１の測位基準部５の縦軸５Ｚに対して直交する平面内であって且つ円周方向に回動することができる回動コアと、該回動コアに取り付けた形状測定部を、その根元端において軸の周りに１８０度回転させることができる回転機構を設けることによっても、例えば左胸乳房の立体的な形状を、第１の測位基準部５を基準として形状測定部６を介して右胸の略鏡面対称の位置へ移動させることができる。
【００８８】
また、図示しないが、第１の測位基準部５の回転コアが、第１の測位基準部５の縦軸５Ｚに対して平行する円周方向に回転させることができると共に、直交する平面内であって且つ円周方向に回動させることができる場合は、形状測定部６に支持されている測定ゲージ７を取り外せば、乳房形状測定器具４は、後述する乳房輪郭測定器具１のようにヒトの乳房の輪郭を測定するための測定器具としても機能させて使用することができる。
【００８９】
このように、本実施形態の乳房形状測定器具４では、ヒトの胸部に配置等した第１の測位基準部５から延びた形状測定部６を利用して乳房の立体的な形状を測定できるので、単に乳房の形状を測定及び記憶させるだけでなく、測定した乳房の形状を、第１の測位基準部５との相対的な位置関係に基づいてヒトの胸部上の位置と関連付けて記録させることができる。このため、本実施形態の乳房形状測定器具４は第１の測位基準部５を基準として、測定した乳房の立体的な形状をヒトの胸部上の所望の位置へ転写ないし移すことができる。
【００９０】
第１の測位基準部５において、表面壁の表面スリット５３を貫通した縦ピン（図示せず）の先端には固定ツマミ５７が取り付けられている。固定ツマミ５７は、回転又は押し込み操作等を行うことにより、表面壁をクランプする摺動コア５４と固定ツマミ５７との間隔を狭めることができるので、その摩擦抵抗により、摺動コア５４及び摺動コア５４に接続された形状測定部６を側面スリット５２及び表面スリット５３の任意の位置で固定することができる。
【００９１】
その結果、本実施形態の乳房形状測定器具４では、摺動コア５４に接続された形状測定部６は、第１の測位基準部５の縦軸５Ｚに沿って上下方向にスライド及び固定できるようになるので、形状測定部５はその根元端から乳房の形状に沿わせることができるようになり、測定有効長さが拡大し、より正確な乳房の立体的な形状の測定を行うことができるようになる。
【００９２】
連結部５６を介して摺動コア５４の横ピン５５に接続された形状測定部６は、特に乳房の立体的な形状に沿って容易に変形させることができ、そして変形させた形状測定部６は容易に移動できることが望まれることから、本実施形態では形状測定部６は棒形状を有しており、さらに人体を傷付けないように、形状測定部６の先端には保護キャップ６０が取り付けられている。
【００９３】
なお、形状測定部６は、乳房の立体的な形状に沿って変形可能であり且つ変形後の形状を保持することができるものであれば、特に制限されることなく公知の材料や部材等を使用することができ、例えば可撓性を有する樹脂材料、金属材料または多関節部材、若しくはそれらを２以上組み合わせたものなどを使用することができる。
【００９４】
図１，２に示されているように、棒状の形状測定部６には、ゲージ支持部７０とゲージ本体７１とからなる測定ゲージ７がスライド可能に取り付けられている。ゲージ支持部７０は、棒状の形状測定部６をスライド可能に受け入れるために横方向に貫通したスライド孔７２と、ゲージ本体７１を縦方向に支持するため、スライド孔７２と略直交する方向に貫通し且つスライド孔７２を挟むように配置された１対の矩形の支持孔７３を有している。また、ゲージ支持部７０は、スライド孔７２と連通し且つスライド孔７２と略直交する方向に開口したネジ孔（図示せず）を有しており、該ネジ孔には、その孔長よりも長い長さのネジ部を有するネジ止め具７４が螺合されている。
【００９５】
このため、本実施形態の測定ゲージ７は、ゲージ支持部７０のスライド孔７２へ形状測定部６を通すことにより形状測定部６上の任意の位置（例えば乳頭近傍）へスライドさせることができ、そしてネジ止め具７４を形状測定部６へ当接するまでねじ込むことにより、形状測定部６上の任意の位置で、任意の放射方向へ向けて簡単に固定することができる。
【００９６】
一方、ゲージ本体７１は、ゲージ支持部７０の支持孔７３の開口と略同じ断面形状を有する目盛り部７５と、支持孔７３の開口よりも大きな断面形状を有する片状ツマミ部７６とを備えている。このため、本実施形態の測定ゲージ７は、ゲージ支持部７０を形状測定部６上の任意の位置に固定した後、ゲージ支持部７０の支持孔７３へ、目盛り部７５がヒトの胸部表面と当接するまでゲージ本体７１を挿入すれば、形状測定部６と胸部表面との距離を正確且つ簡単に測定することができる。
【００９７】
図６，７には、本実施形態に係る乳房形状測定器具４を用いた乳房形状の測定方法およびその転写方法が示されている。図６，７を用いて、以下に本実施形態の乳房形状測定器具４の使用方法を説明する。
【００９８】
（ａ）乳房輪郭測定器具１の第２の測位基準部２を紐状部材２０によって首から吊り下げる。
（ｂ）紐状部材２０のストッパー２６のロックを解除して、第２の測位基準部２が頂角となる逆二等辺三角形を描くように紐状部材２０の長さを調節し、そして再びストッパー２６をロックする。
（ｃ）紐状部材２０によりヒトの胸部の略中心に誘導された第２の測位基準部２を、サージカルテープ等を利用して裏蓋２２などをヒトの胸部へ貼り付けることにより固定する。なお、第２の測位基準部２は、第２の測位基準部２の縦軸２Ｚが、後述するマーキング用定規などを用いてヒトの胸部に描かれた正中線と平行に整列するように配置することによっても、胸部の略中心に固定することができる。
【００９９】
上記ステップ（ｃ）に続いて、
（ｄ）乳房形状測定器具４の第１の測位基準部５の裏蓋５０に設けられた掛かり部５１を、乳房輪郭測定器具１の第２の測位基準部２の溝部２７へスライドさせて嵌合することにより、第１の測位基準部５を第２の測位基準部２へ装着してヒトの胸部の略中心に固定する。なお、第１の測位基準部５は、第２の測位基準部２と同様に、首、肩、胸部に着用される紐状部材または帯状部材などを利用してヒトの胸部へ直に配置しても、或いはサージカルテープなどの粘着材料や吸着材料を利用してヒトの胸部へ直に配置ないし固定してもよい。
（ｅ）第１の測位基準部５の固定ツマミ５７を操作することにより、連結部５６を所望の位置へ動かし固定する。
（ｆ）ゲージ支持部７０を担持した棒状の形状測定部６を測定する側に配置された連結部５６へ取り付け、ヒトの乳房に押し当て、そして該乳房の立体的な形状に沿って変形させる。
（ｇ）変形された形状測定部６を、第１の測位基準部５を基準として、測定していない側の胸部上へ付け替える又は回転することにより、該胸部上の略鏡面対称の位置へ配置する。
（ｈ）ゲージ支持部７０を形状測定部６の測定位置へ移動し、ネジ止め具７４を形状測定部６へ当接するまでねじ込むことにより、形状測定部６上の所望の位置において支持孔７３がヒトの胸部へ対向するように固定する。
（ｉ）ゲージ支持部７０の支持孔７３へ、目盛り部７５がヒトの胸部表面と当接するまでゲージ本体７１を挿入することにより、形状測定部６と胸部表面との距離を計測する。
（ｊ）固定ツマミ５７を緩めた後、第１の測位基準部５を上記ステップ（ｄ）とは逆の手順により第２の測位基準部２から取り外す、又はサージカルテープ等の固定手段を解除し、紐状部材２０を首から外して、第２の測位基準部２と共に乳房形状測定器具４をヒトから取り外す。
【０１００】
図８には、上述した乳房形状測定器具４の形状測定部６を用いた他の乳房形状の測定方法が示されている。第１の測位基準部５から取り外した形状測定部６を単独で用いれば、ヒトの手などで支持することにより、例えば図８に示されているように乳房の縦方向の形状も簡単に測定することができるようになる。そして、乳房の形状に沿って変形させた形状測定部６を測定していない側の胸部上の略鏡面対称の位置へ配置すれば、測定ゲージ７を用いて形状測定部６と胸部表面との距離などを計測することができる。
【０１０１】
このように、本実施形態の乳房形状測定器具４では、乳房の立体的な形状に沿って変形させた形状測定部６は、ヒトの胸部の略中心に配置ないし固定された第１の測位基準部５を基準として、乳房の形状を測定していない側の胸部上の略鏡面対称の位置へ、すなわち乳房が再建される（切除されている）側の胸部上の略鏡面対称の位置へ移動させることができる。
【０１０２】
このため、形状測定部６を、乳房が再建される（切除されている）側の胸部上へ移動させた後、形状測定部６に支持されている測定ゲージ７を用いて形状測定部６と（乳房が切除されている）胸部表面との距離を測定すれば、乳房が切除されている側の胸部上へ、切除されずに残存している乳房の形状や大きさを正確且つ簡単に再現することができ、再建すべき乳房の形状や大きさも正確且つ簡単に測定ないし把握することができる。そして、測定して得られた乳房の形状や大きさに基づいてインプラントを選択又は調整すれば、残存している乳房とバランスがとれた乳房を簡単に再建することができるようになる。
【０１０３】
また、本実施形態の乳房形状測定器具４を用いれば、大掛かりな測定設備等を必要とすることなく、軽量且つコンパクトな測定器具４によって、乳房が切除されている側の胸部上へ、健全な乳房の形状や大きさを正確に移すことができ、再建すべき乳房の形状や大きさも正確に把握することができので、左右の乳房のバランスをとるのに適したインプラントや該インプラントを挿入するためのテッシュエキスパンダーを容易に選択又は調整することができるようになる。
【０１０４】
本発明の他の実施形態によれば、ヒトの胸部へ正中線をマーキングするためのマーキング用定規８と、ヒトの乳房の立体的な形状を測定するために、前記正中線に基づいて配置ないし固定される乳房形状測定器具４とから構成される乳房測定器具のセット１ａが提供される。
【０１０５】
図９には、本実施形態に係る乳房測定器具のセット１ａ中のマーキング用定規８の一の実施形態及び使用方法を示した全体概要図が示されている。なお、本実施形態に係る乳房測定器具のセット１ａのうち、乳房形状測定器具は、図１，２に示された乳房形状測定器具４と同じ構成を有しているので、ここではその重複した説明は省略する。
【０１０６】
図９を参照して理解されるように、本実施形態のマーキング用定規８は、定規本体８０と、定規本体８０に形成された直線状のスリット８１と、スリット８１の両側に設けられた目盛り８２と、そしてスリット８１上に設けられており、且つマーキング時、ヒトの鎖骨間中点及びみぞおちに配置される透明領域８３とを備えている。なお、本実施形態のマーキング用定規８では、透明領域８３は定規本体８０を透明な樹脂材料によって成形することによって設けられている。
【０１０７】
図９を用いて、以下に本実施形態の乳房形状測定器具４の使用方法を説明する。なお、本実施形態に係る乳房測定器具のセット１ｂのうち、乳房形状測定器具４の使用方法は、図６，７を用いて説明した方法と同じであるので、ここではその重複した説明は省略する。
【０１０８】
（ｘ）目視により定規本体８０の透明領域８３を通して確認しながら、直線状のスリット８１及び／又はスリット８１の延長線上がヒトの鎖骨間中点とみぞおちに配置されるように、マーキング用定規８をヒトの胸部へ押し当てる。
（ｙ）マーカーＭを用いて、定規本体８０のスリット８１に沿ってマーキングを施すことにより、ヒトの胸部の略中心に正中線を描く。なお、マーキング用定規８にはスリット８１の両側には目盛り８２が設けられているので、必要に応じて、例えばヒトの鎖骨間中点とみぞおちとの距離なども測定することができる。
【０１０９】
このように、本実施形態では、マーキング用定規８を。定規本体８０のスリット８１を鎖骨間中点及びみぞおちを結ぶようにヒトの胸部の略中心に簡単に配置することができるので、マーカーＭにより、ヒトの胸部に配置されたスリット８１に沿ってマーキングを施せば、ヒトの胸部上へ正中線を容易にマーキングすることができる。
【０１１０】
以上のように、本実施形態の乳房測定器具のセット１ａによれば、マーキング用定規８を用いてヒトの胸部の略中心に簡単且つ正確に正中線をマーキングすることができる。このため、乳房形状測定器具４の第１の測位基準部５の縦軸５Ｚ、または第１の測位基準部５の台座として機能する乳房輪郭測定器具１の第２の測位基準部２の縦軸２Ｚを前記正中線と平行に整列するように配置ないし固定すれば、乳房形状測定器具４をヒトの胸部の略中心に簡単且つ正確に配置ないし固定することができる。
【０１１１】
本実施形態の乳房形状測定器具４は、乳房形状測定器具４の第１の測位基準部５を乳房輪郭測定器具１の第２の測位基準部２へ装着する台座として機能させるために乳房輪郭測定器具１の第２の測位基準部２を含んでいる。また、乳房輪郭測定器具１は、乳房形状測定器具４の第１の測位基準部５の台座として機能するばかりでなく、ヒトの乳房の輪郭を測定するための乳房輪郭測定器具１として単独で使用することもできる。
【０１１２】
図４に示されているように、第２の測位基準部２の内部には、下方側壁及び仕切り壁に設けられた軸穴を利用して円筒形の回動コア２３が回動自在に取り付けられている。回動コア２３の下方側壁側の端部には輪郭測定部３の根元端を受け入れるための連結孔（図示せず）が設けられており、輪郭測定部３の根元端は、下方側壁の軸穴を通って回動コア２３の連結孔へ挿入されている。また、輪郭測定部３の根元端には、下方側壁の軸穴への挿入位置（長さ）を位置決めするためのスリーブ３０が装着されている。このため、第２の測位基準部２の下方側壁から延びた輪郭測定部３は、回動コア２３を中心として左右にスイングするように、第２の測位基準部２の回動コア２３の縦軸２Ｚに対して直交する平面内であって且つ円周方向に回動させることができる。
【０１１３】
なお、第２の測位基準部２の回動コア２３が、第２の測位基準部２の縦軸２Ｚに対して直交する平面内であって且つ円周方向に回転させることができると共に、平行する円周方向に回動させることができる場合は、乳房輪郭測定器具１は、上述した乳房形状測定器具４の測定ゲージ７を輪郭測定部３に取り付ければ、乳房形状測定器具４のようにヒトの乳房の立体的な形状を測定するための測定器具としても機能させて使用することができる。
【０１１４】
また、輪郭測定部３を、第２の測位基準部２を基準としてその反対側の胸部上の略鏡面対称の位置へ移動可能に支持するための他の態様としては、例えば第２の測位基準部２へ、第２の測位基準部２の縦軸２Ｚに対して鏡面対称の位置に配置される少なくとも１対の連結部材（図示せず）を設け、輪郭測定部３は、乳房の輪郭を測定する側に配置された連結部材へ取り付けて測定した後、該連結部材から取り外して、該連結部材とは反対側に配置された鏡面対称の位置にある連結部材へ付け替えることにより、例えば左胸乳房の輪郭を、第２の測位基準部２を基準として輪郭測定部３を介して右胸の略鏡面対称の位置へ移動させることができる。
【０１１５】
このように、本実施形態の乳房輪郭測定器具１では、ヒトの胸部に配置等した第２の測位基準部２から延びた輪郭測定部３を利用して乳房の輪郭を測定できるので、単に乳房の輪郭を測定及び記憶させるだけでなく、測定した乳房の輪郭を、第２の測位基準部２との相対的な位置関係に基づいてヒトの胸部上の位置と関連付けて記録させることができる。このため、本実施形態の乳房輪郭測定器具１は第２の測位基準部２を基準として、測定した乳房の輪郭をヒトの胸部上の所望の位置へ転写ないし移すことができる。
【０１１６】
また、図示しないが、本実施形態の乳房輪郭測定器具１では、上述した回動コア２３又は１対の連結部材は、第２の測位基準部２の縦軸２Ｚに沿って上下方向にスライドできるように第２の測位基準部２へ取り付けてもよい。この場合、回動コア２３又は連結部材へ取り付けた輪郭測定部３はその根元端から乳房の輪郭に沿わせることができるようになるので、測定有効長さが拡大し、より正確な乳房の輪郭の測定を行うことができるようになる。
【０１１７】
第２の測位基準部２に回動自在に取り付けられた輪郭測定部３は、乳房の輪郭に沿って容易に変形させることができ、そして変形させた輪郭測定部３は容易に移動できることが望まれることから、本実施形態では輪郭測定部３は棒形状を有しており、さらに人体を傷付けないように、輪郭測定部３の先端には保護キャップ３１が取り付けられている。
【０１１８】
なお、輪郭測定部３は、乳房の輪郭に沿って変形可能であり且つ変形後の形状を保持することができるものであれば、特に制限されることなく公知の材料や部材等を使用することができ、例えば可撓性を有する樹脂材料、金属材料または多関節部材、若しくはそれらを２以上組み合わせたものなどを使用することができる。
【０１１９】
本実施形態の乳房輪郭測定器具１では、輪郭測定部３は第２の測位基準部２から延びているので、ヒトの乳房の輪郭を単に測定及び記憶するだけでなく、第２の測位基準部２との相対的な位置関係に基づいて、第２の測位基準部２の位置（胸部上の位置）と関連付けて記憶させることができる。このため、本実施形態の乳房輪郭測定器具１では、乳房の輪郭に沿って変形させた輪郭測定部３は、ヒトの胸部の略中心に配置ないし固定された第２の測位基準部２を基準として、乳房の輪郭を測定していない側の胸部上の略鏡面対称の位置へ、すなわち乳房が再建される（切除されている）側の胸部上の略鏡面対称の位置へ転写ないし移動させることができる。
【０１２０】
図３，４には、本実施形態の乳房輪郭測定器具１を用いた乳房輪郭の測定方法およびその転写方法が示されている。図３，４を用いて、以下に本実施形態の乳房輪郭測定器具１の使用方法を説明する。
【０１２１】
（ａ）第２の測位基準部２及び輪郭測定部３を紐状部材２０によって首から吊り下げる。
（ｂ）紐状部材２０のストッパー２６のロックを解除して、第２の測位基準部２が頂角となる逆二等辺三角形を描くように紐状部材２０の長さを調節し、そして再びストッパー２６をロックする。
（ｃ）紐状部材２０によりヒトの胸部の略中心に誘導された第２の測位基準部２を、サージカルテープ等を利用して裏蓋２２などをヒトの胸部へ貼り付けることにより固定する。なお、第２の測位基準部２は、第２の測位基準部２の縦軸２Ｚが、後述するマーキング用定規などを用いてヒトの胸部に描かれた正中線と平行に整列するように配置することによっても、胸部の略中心に固定することができる。
（ｄ）棒状の輪郭測定部３を測定する側のヒトの乳房に押し当て、そして該乳房の輪郭に沿って変形させる。
（ｅ）変形された輪郭測定部３を、第２の測位基準部２を基準として、測定していない側の胸部上へ回動する又は付け替えることにより、該胸部上の略鏡面対称の位置へ配置する。
（ｆ）マーカーＭを用いて、略鏡面対称の位置へ配置された輪郭測定部３に沿って輪郭測定部３に記憶された乳房の輪郭を測定していない側の胸部上へマーキングする。
（ｇ）サージカルテープ等の固定手段を解除し、紐状部材２０を首から外すことにより、乳房輪郭測定器具１をヒトから取り外す。
【０１２２】
このように、本実施形態の乳房輪郭測定器具１では、輪郭測定部３が移動された胸部上に、マーカーＭにより前記輪郭測定部３に沿ってマーキングを施せば、測定した一方の側の胸部上の乳房の輪郭を、胸部の略中心に配置ないし固定した第２の測位基準部２に対して、測定していない他方の側の胸部上の鏡面対称又は左右対称となる位置へ略正確且つ簡単に転写ないし再現することができる。そして、前記マークに基づいて胸部を切開し、予め選択又は調整されたインプラントや自家組織を当該切開部へ埋め込めば、残存している乳房とバランスがとれた乳房を簡単に再建することができるようになる。
【０１２３】
また、本実施形態の乳房輪郭測定器具１を用いれば、大掛かりな測定設備等を必要とすることなく、軽量且つコンパクトな測定器具１によって、切除されずに残存している乳房の輪郭を、乳房が再建される（切除されている）側の胸部へ正確且つ簡単に再現することができ、左右の乳房のバランスを容易にとることができるようになる。
【符号の説明】
【０１２４】
１・・・・乳房輪郭測定器具
１ａ・・・乳房測定器具のセット
２・・・・第２の測位基準部
２Ｚ・・・縦軸
２０・・・紐状部材
２１・・・測位基準部本体
２２・・・裏蓋
２３・・・回動コア
２４・・・貫通孔
２５・・・キャップ
２６・・・ストッパー
２７・・・溝部
３・・・・輪郭測定部
３０・・・スリーブ
３１・・・保護キャップ
４・・・・乳房形状測定具
５・・・・測位基準部（第１の測位基準部）
５Ｚ・・・縦軸
５０・・・裏蓋
５１・・・掛かり部
５２・・・側面スリット
５３・・・表面スリット
５４・・・摺動コア
５５・・・横ピン
５６・・・連結部材
５７・・・固定ツマミ
６・・・・形状測定部
６０・・・保護キャップ
７・・・・測定ゲージ
７０・・・ゲージ支持部
７１・・・ゲージ本体
７２・・・スライド孔
７３・・・支持孔
７４・・・ネジ止め具
７５・・・目盛り部
７６・・・片状ツマミ部
８・・・・マーキング用定規
８０・・・定規本体
８１・・・スリット
８２・・・目盛り
８３・・・透明領域
Ｍ・・・・マーカー
【図１】
2017205348.tif 000003
【図２】
2017205348.tif 000004
【図３】
2017205348.tif 000005
【図４】
2017205348.tif 000006
【図５】
2017205348.tif 000007
【図６】
2017205348.tif 000008
【図７】
2017205348.tif 000009
【図８】
2017205348.tif 000010
【図９】
2017205348.tif 000011
【図１０】
2017205348.tif 000012
【図１１】
2017205348.tif 000013